(57)【要約】      （修正有）【課題】折り畳みバスケットボールゴールフレームを提供する。【解決手段】ゴールフレーム１は、図中でバスケットボード２６背面側を前、表面側を後として、前枠フレーム２上半部のバスケットボード２６の後端面にバスケットボール枠２６１を備え、前枠フレーム２の左、右前側棒２４、２５の中段にそれぞれ２個の第一左、右関節２４１、２４２、２５１、２５２を備えて後方、下方へと２段階に屈曲して折り畳み可能とし、左枠、右枠フレーム３，４は前枠フレーム２に対してそれぞれアダプター３５，３６，４５．４６により水平に回動可能とし、後枠フレーム７を分解、左連棒８、右連棒８１、サポート棒８２を取り除き、中間連棒５、左サポート棒６、右サポート棒６１を取り外し、左枠、右枠フレーム３，４をそれぞれ回転させて、前枠フレーム２の後側に重ねることにより折畳むことができる。【選択図】図２
0003227958.tif 000002
【実用新案登録請求の範囲】
【請求項１】
折り畳みバスケットボールゴールフレームは、バスケットボードを備える一端を、該折り畳みバスケットボールゴールフレームの前端、また、
該バスケットボードから離れた、シュートする人が立つ位置を、該折り畳みバスケットボールゴールフレームの後端と定義し、シュートする人が該バスケットボードに面する方向から見て該折り畳みバスケットボールゴールフレームの左側端及び右側端とそれぞれ定義し、
該折り畳みバスケットボールゴールフレームは、前枠フレーム、左枠フレーム、右枠フレーム、後枠フレームを備え、
上記前枠フレームは、左前側棒及び右前側棒を備えて枠体を構成すると共に、
該前枠フレーム上半部には、上記バスケットボードを備え、該バスケットボードの後端面には、少なくとも１個のバスケットボール枠を備え、
該前枠フレームの左前側棒の中段には、２個の第一左関節を上下に間隔を開けて備え、該前枠フレームの右前側棒の中段には、該２個の第一左関節と左右対称を呈する２個の第一右関節を備え、これにより該前枠フレームの上半部は、先ず後ろへ、次に下方へと２段階に屈曲可能とし、
上記左枠フレームは、左頂棒、左底棒、左中側棒を備え、左サポート棒を設けて該左頂棒の中段と上記前枠フレームの左前側棒を連接し、該左頂棒の後端と該左底棒の後端は該左中側棒にそれぞれ連接し、
該左頂棒の前端は、第一左アダプターにより、上記前枠フレームの左前側棒に対して水平に回転可能な方式で連接し、該左底棒の前端は、第二左アダプターにより、上記前枠フレームの左前側棒に対して水平に回転可能な方式で連接することにより、該左枠フレームは、該左前側棒に対して水平に回転して屈曲可能とし、
上記右枠フレームは、右頂棒、右底棒、右中側棒を備え、右サポート棒を設けて該右頂棒の中段と記前枠フレームの右前側棒とを連接し、
該右頂棒の後端と該右底棒の後端は、該右中側棒にそれぞれ連接し、
該右頂棒の前端は、第一右アダプターにより、上記前枠フレームの右前側棒に対して水平に回転可能な方式で連接し、該右底棒の前端は、第二右アダプターにより、上記前枠フレームの右前側棒に対して水平に回転可能な方式で連接し、これにより該右枠フレームは、該右前側棒に対して水平に回転して屈曲可能とし、
上記後枠フレームは、上半部にバスケットボールを受けるガード部を備え、
該後枠フレームの左後側棒と上記左枠フレームの左中側棒とを左連棒を設けて連接すると共に該後枠フレームの右後側棒と上記右枠フレームの右中側棒とを右連棒を設けて連接したことを特徴とする折り畳みバスケットボールゴールフレーム。
【請求項２】
前記折り畳みバスケットボールゴールフレームは、中間連棒をさらに備え、
該中間連棒の左端は、左三方向コネクターにより組立て／分解可能な方式で、前記左枠フレームの左中側棒の底端に連接し、該中間連棒の右端は、右三方向コネクターにより、組立て／分解可能な方式で、前記右枠フレームの右中側棒の底端に連接することを特徴とする請求項１に記載の折り畳みバスケットボールゴールフレーム。
【請求項３】
前記後枠フレームの上半部には、相互に平行な上頂棒及び下頂棒をさらに設置し、
該上頂棒の左端と該下頂棒の左端は、該左後側棒に連接し、該上頂棒の右端と該下頂棒の右端は、該右後側棒に連接することを特徴とする請求項１に記載の折り畳みバスケットボールゴールフレーム。
【請求項４】
前記折り畳みバスケットボールゴールフレームは、サポート棒をさらに備え、
該サポート棒の上下両端は、組立て／分解可能な方式で、前記中間連棒と前記後枠フレームの下頂棒にそれぞれ連接されることを特徴とする請求項３に記載の折り畳みバスケットボールゴールフレーム。
【請求項５】
前記折り畳みバスケットボールゴールフレームは、ネットロープをさらに備え、
該ネットロープは、該折り畳みバスケットボールゴールフレームの外側周縁に連結され、該前枠フレームと該後枠フレームの間には、斜行ネットロープ面を形成することを特徴とする請求項１〜４の任意の一項に記載の折り畳みバスケットボールゴールフレーム。
【考案の詳細な説明】
【技術分野】
【０００１】
本考案は折り畳みバスケットボールゴールフレームに関し、特に迅速に組立て／分解ができ、保管空間を節減でき、及び運搬、携帯に便利な折り畳みバスケットボールゴールフレームに関する。
【背景技術】
【０００２】
従来の屋外用バスケットボールゴールフレームはみな、バスケットボール枠を備えるバスケットボード及びサポートフレームからなる。
室内で使用されるシューティングマシンのバスケットボールフレームでは、十分なサポート強度を確保するため、バスケットボール枠とシュートする人との間のサポートフレームの長さを二段階に区画する。
これにより、バスケットボールを投げ、バスケットボール枠或いはバスケットボードにボールがぶつかった後は、斜行ネットロープ面により下方へと転がり戻り、シュートする人は連続でシュートすることができる。
【０００３】
しかし、上述のバスケットボールフレームは数個の金属管及び平板を固定して組み立てられているが、組み立ての過程は時間がかかり、しかも組合せ後の全体体積は固定されている。
そのため、収納及び携帯に不便であるばかりか、非常に大きな保管空間を占拠する。
【先行技術文献】
【特許文献】
【０００４】
【特許文献１】特開２００６−３８６号公報
【特許文献２】特開２００２−３３１０５７号公報
【考案の概要】
【考案が解決しようとする課題】
【０００５】
本考案の目的は、従来のバスケットボールフレームの組み立て及び分解に時間がかかり、保管時に大きな空間を占拠するという問題を解決でき、各支棒と各連結関節の対応組合せを通して、迅速な組立て／分解の効果を達成でき、分解後は保管空間を効果的に節減でき、運搬、携帯に便利な折り畳みバスケットボールゴールフレームを提供することである。
【課題を解決するための手段】
【０００６】
本考案による折り畳みバスケットボールゴールフレームは、前枠フレーム、左枠フレーム、右枠フレーム、後枠フレームを備え、
該前枠フレームは、上半部にバスケットボードを備え、バスケットボードの後端面に少なくとも１個のバスケットボール枠を備え、前枠フレームの左前側棒の中段には、２個の第一左関節を上下に間隔を開けて備え、前枠フレームの右前側棒の中段には、２個の第一左関節、２個の第一右関節を左右対称に備え、
該左枠フレームは、左頂棒、左底棒、左中側棒を備え、左頂棒の中段は、左サポート棒の一端に連接し、左サポート棒の反対端は、左前側棒に連接し、左頂棒の後端と左底棒の後端は、左中側棒にそれぞれ連接し、
該左頂棒の前端は、第一左アダプターにより、相対回転可能な方式で、左前側棒に連接し、左底棒の前端は、第二左アダプターにより、相対回転可能な方式で、左前側棒に連接し、
該右枠フレームは、右頂棒、右底棒、右中側棒を備え、右頂棒の中段は、右サポート棒の一端に連接し、右サポート棒の反対端は、右前側棒に連接し、右頂棒の後端と右底棒の後端は、右中側棒にそれぞれ連接し、
該右頂棒の前端は、第一右アダプターにより、相対回転可能な方式で、右前側棒に連接し、右底棒の前端は、第二右アダプターにより、相対回転可能な方式で、右前側棒に連接し、
後枠フレームの上半部にガード部を備え、後枠フレームの左後側棒は、左連棒の後端に連接し、左連棒の前端は、左中側棒に連接し、後枠フレームの右後側棒は、右連棒の後端に連接し、右連棒の前端は、右中側棒に連接し、
実施時には、本考案は中間連棒をさらに備え、中間連棒の左端は、左三方向コネクターにより、組立て／分解可能な方式で、左中側棒の底端に連接され、中間連棒の右端は、右三方向コネクターにより、組立て／分解可能な方式で、右中側棒の底端に連接され、
実施時には、後枠フレームの上半部には、相互に平行な上頂棒及び下頂棒をさらに備え、上頂棒の左端と下頂棒の左端は、左後側棒に連接し、上頂棒の右端と下頂棒の右端は、右後側棒に連接し、
実施時には、本考案はサポート棒をさらに備え、サポート棒の上下両端には、中間連棒と下頂棒をそれぞれ組立て／分解可能な方式で連接し、
実施時には、本考案はさらにネットロープを備え、ネットロープは、折り畳みバスケットボールゴールフレームの外側周縁に連結され、前枠フレームと後枠フレームの間には、斜行ネットロープ面を形成する。
【考案の効果】
【０００７】
本考案による折り畳みバスケットボールゴールフレームは確実に所期の目的を達成でき、各サポート棒と各連結関節の組合せにより迅速な組立て／分解の効果を実現し、しかも分解後には保管空間を有効に節減でき、運搬と携帯に便利である。
【図面の簡単な説明】
【０００８】
【図１】本考案実施例におけるネットロープ結合時の立体外観図である。
【図２】本考案実施例の立体外観図である。
【図３】本考案実施例における屈曲時の使用状態模式図である。
【図４】図３のａ部分の局部拡大図である。
【図５】本考案実施例における折り畳み後の立体外観図である。
【考案を実施するための形態】
【０００９】
〔実施例〕
【００１０】
図１、２に示すように、本考案による折り畳みバスケットボールゴールフレーム１の実施例は、前枠フレーム２、左枠フレーム３、右枠フレーム４、中間連棒５、左サポート棒６、右サポート棒６１、後枠フレーム７、左連棒８、右連棒８１、サポート棒８２、ネットロープ８３を備える。
【００１１】
バスケットボード２６を備える一端を、折り畳みバスケットボールゴールフレーム１の前端と定義し、バスケットボード２６から離れ、シュートする人が立つ位置を、折り畳みバスケットボールゴールフレーム１の後端と定義し、シュートする人がバスケットボード２６に面する方向を、それぞれ折り畳みバスケットボールゴールフレーム１の左側端及び右側端と定義する。
【００１２】
前枠フレーム２は直立の四辺形枠で、頂棒２１、底棒２２、中間横棒２３、左前側棒２４、右前側棒２５を備える。
【００１３】
前枠フレーム２上半部には、バスケットボード２６を設置し、バスケットボード２６の後端面には、バスケットボール枠２６１を備える。
【００１４】
実施時には、バスケットボール枠２６１は２個以上設置でき、間隔を開けて並列する方式で、バスケットボード２６の後端面上に取り付けられる。
【００１５】
左前側棒２４は、上段、中段、下段を備え、上段、中段の間と中段、下段の間には、それぞれ第一左関節２４１、２４２を設置する。
【００１６】
右前側棒２５は同様に、上段、中段、下段を備え、上段、中段の間と中段、下段の間には、それぞれ第一右関節２５１、２５２を設置する。
【００１７】
２個の第一左関節２４１、２４２と２個の第一右関節２５１、２５２は相互に左右対称で、これにより前枠フレーム２の上半部は先ず後方へと屈曲後、次に下方へと連続屈曲する。
【００１８】
左枠フレーム３は直立の長方形枠で、左頂棒３１、左底棒３２、左中側棒３３を備える。
【００１９】
左頂棒３１の後端は、左中側棒３３の頂端に連接し、左底棒３２の後端は、１個の左三方向コネクター３４により、左中側棒３３の底端に連接される。
【００２０】
左頂棒３１の前端は、関節により、左前側棒２４の中段位置に連結され、２個の第一左関節２４１、２４２の下方に位置する。
【００２１】
該関節を第一左アダプター３５とし、実施時には、第一左アダプター３５は、左前側棒２４上に嵌めて接続するＴ字型環状カバーとすることができる。
【００２２】
左底棒３２の前端は、別種の関節により、左前側棒２４の底端に連結される。
【００２３】
該別種の関節を第二左アダプター３６とし、実施時には、第二左アダプター３６は、左前側棒２４底部に嵌めて接続するＴ字型環状カバーとすることができ、これにより左枠フレーム３は、左前側棒２４に相対し水平に回転して屈曲する。
【００２４】
左サポート棒６は斜め方向に設置する連棒で、左サポート棒６の底端と頂端は、それぞれＣ字型環状カバーで、左サポート棒６の底端は、左頂棒３１の中段位置に嵌めて接続され、左サポート棒６の頂端は、左前側棒２４の第一左関節２４１上方に嵌めて接続される。
【００２５】
右枠フレーム４は直立の長方形枠で、前枠フレーム２の左右両側において左枠フレーム３と対称で、右枠フレーム４は、右頂棒４１、右底棒４２、右中側棒４３を備える。
【００２６】
右頂棒４１の後端は、右中側棒４３の頂端に連接し、右底棒４２の後端は、１個の右三方向コネクター４４により、右中側棒４３の底端に連接する。
【００２７】
右頂棒４１の前端は、関節により、右前側棒２５の中段位置に連結し、２個の第一右関節２５１、２５２の下方に位置する。
【００２８】
該関節を第一右アダプター４５とし、実施時には、第一右アダプター４５は、右前側棒２５上に嵌めて接続されるＴ字型環状カバーとすることができる。
【００２９】
右底棒４２の前端は、別種の関節により、右前側棒２５の底端に連結され、該別種の関節は、第二右アダプター４６とし、実施時には、第二右アダプター４６は、右前側棒２５底部に嵌めて設置されるＴ字型環状カバーとすることができ、これにより右枠フレーム４は、右前側棒２５に相対し水平に回転して屈曲する。
【００３０】
右サポート棒６１は斜め方向に設置する連棒で、前枠フレーム２の左右両側において左サポート棒６と対称で、右サポート棒６１の底端と頂端は、それぞれＣ字型環状カバーで、右サポート棒６１の底端は、右頂棒４１の中段位置に嵌めて接続され、右サポート棒６１の頂端は、右前側棒２５の第一右関節２５１上方に嵌めて接続される。
【００３１】
中間連棒５の左端は、左三方向コネクター３４により、左中側棒３３の底端に連接され、中間連棒５の右端は、右三方向コネクター４４により、右中側棒４３の底端に連接される。
【００３２】
しかも、中間連棒５の長さは、左三方向コネクター３４の連接口と右三方向コネクター４４の連接口の間の距離よりやや長く、これにより左右移動の方式を利用し、中間連棒５の左右両端は、それぞれ組立て／分解可能な方式で左中側棒３３及び右中側棒４３に連接される。
【００３３】
後枠フレーム７は直立した長方形枠で、左後側棒７１、右後側棒７２、上頂棒７３、下頂棒７４を備える。
【００３４】
左後側棒７１の中段位置は、左連棒８前端のＣ字型環状カバーに連接し、左連棒８後端のＣ字型環状カバーは、左中側棒３３に連接し、右後側棒７２の中段位置は、右連棒８１前端のＣ字型環状カバーに連接し、右連棒８１後端のＣ字型環状カバーは、右中側棒４３に連接する。
【００３５】
上頂棒７３と下頂棒７４は相互に平行で、上頂棒７３の左端は、エルボにより、左後側棒７１の頂端に連接され、上頂棒７３の右端は、別のエルボにより、右後側棒７２の頂端に連接される。
【００３６】
下頂棒７４の左端は、Ｔ字型管により、左後側棒７１に連接され、下頂棒７４の右端は、別のＴ字型管により、右後側棒７２に連接される。
【００３７】
サポート棒８２の上下両端は、それぞれＣ字型環状カバーで、サポート棒８２の底端は、組立て／分解可能な方式で、中間連棒５の中段位置に嵌めて接続され、サポート棒８２の頂端は、組立て／分解可能な方式で、下頂棒７４の中段位置に嵌めて接続される。
【００３８】
ネットロープ８３は、折り畳みバスケットボールゴールフレーム１の外側周縁に連結され、これにより前枠フレーム２のバスケットボード２６下方及び折り畳みバスケットボールゴールフレーム１の左右両側に、それぞれガードを形成する。
【００３９】
前枠フレーム２と後枠フレーム７の下頂棒７４の間には、斜行ネットロープ面８３１を形成し、使用者がバスケットボールを投げ、バスケットボール枠２６１或いはバスケットボード２６にぶつかると、下方へと転がって戻ってくる。
【００４０】
上頂棒７３と下頂棒７４の間に形成されるガード部７５は、転がって戻ってくるバスケットボールを停止し、多数のバスケットボールを保管できる。
【００４１】
図３〜５に示すように、本考案は先ず後枠フレーム７を分解、左連棒８、右連棒８１、サポート棒８２を取り除き、中間連棒５、左サポート棒６、右サポート棒６１を取り出せば、左枠フレーム３と右枠フレーム４をそれぞれ回転させて、前枠フレーム２の後側に重ねることができる。
【００４２】
これにより、左前側棒２４及び右前側棒２５の上半部は、同時に先ず後ろへ、次に下方へと連続屈曲して、前枠フレーム２の高さを縮小し、左枠フレーム３と右枠フレーム４に重ねて覆うことができる。
【００４３】
上記を総合すると、本考案による折り畳みバスケットボールゴールフレームは確実に所期の目的を達成でき、各サポート棒と各連結関節の組合せにより迅速な組立て／分解の効果を実現し、しかも分解後には保管空間を有効に節減でき、運搬と携帯に便利である。
【産業上の利用可能性】
【００４４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４５】
１  折り畳みバスケットボールゴールフレーム
２  前枠フレーム
２１  頂棒
２２  底棒
２３  中間横棒
２４  左前側棒
２４１、２４２  第一左関節
２５  右前側棒
２５１、２５２  第一右関節
２６  バスケットボード
２６１  バスケットボール枠
３  左枠フレーム
３１  左頂棒
３２  左底棒
３３  左中側棒
３４  左三方向コネクター
３５  第一左アダプター
３６  第二左アダプター
４  右枠フレーム
４１  右頂棒
４２  右底棒
４３  右中側棒
４４  右三方向コネクター
４５  第一右アダプター
４６  第二右アダプター
５  中間連棒
６  左サポート棒
６１  右サポート棒
７  後枠フレーム
７１  左後側棒
７２  右後側棒
７３  上頂棒
７４  下頂棒
８  左連棒
８１  右連棒
８２  サポート棒
８３  ネットロープ
８３１  斜行ネットロープ面
【図１】
0003227958.tif 000003
【図２】
0003227958.tif 000004
【図３】
0003227958.tif 000005
【図４】
0003227958.tif 000006
【図５】
0003227958.tif 000007
【手続補正書】
【提出日】令和2年6月25日(2020.6.25)
【手続補正１】
【補正対象書類名】実用新案登録請求の範囲
【補正対象項目名】全文
【補正方法】変更
【補正の内容】
【実用新案登録請求の範囲】
【請求項１】
折り畳みバスケットボールゴールフレームは、バスケットボードを備える一端を、該折り畳みバスケットボールゴールフレームの前端、また、
該バスケットボードから離れた、シュートする人が立つ位置を、該折り畳みバスケットボールゴールフレームの後端と定義し、シュートする人が該バスケットボードに面する方向から見て該折り畳みバスケットボールゴールフレームの左側端及び右側端とそれぞれ定義し、
該折り畳みバスケットボールゴールフレームは、前枠フレーム、左枠フレーム、右枠フレーム、後枠フレームを備え、
上記前枠フレームは、左前側棒及び右前側棒を備えて枠体を構成すると共に、
該前枠フレーム上半部には、上記バスケットボードを備え、該バスケットボードの後端面には、少なくとも１個のバスケットボール枠を備え、
該前枠フレームの左前側棒の中段には、２個の第一左関節を上下に間隔を開けて備え、該前枠フレームの右前側棒の中段には、該２個の第一左関節と左右対称を呈する２個の第一右関節を備え、これにより該前枠フレームの上半部は、先ず後ろへ、次に下方へと２段階に屈曲可能とし、
上記左枠フレームは、左頂棒、左底棒、左中側棒を備え、左サポート棒を設けて該左頂棒の中段と上記前枠フレームの左前側棒を連接し、該左頂棒の後端と該左底棒の後端は該左中側棒にそれぞれ連接し、
該左頂棒の前端は、第一左アダプターにより、上記前枠フレームの左前側棒に対して水平に回転可能な方式で連接し、該左底棒の前端は、第二左アダプターにより、上記前枠フレームの左前側棒に対して水平に回転可能な方式で連接することにより、該左枠フレームは、該左前側棒に対して水平に回転して屈曲可能とし、
上記右枠フレームは、右頂棒、右底棒、右中側棒を備え、右サポート棒を設けて該右頂棒の中段と記前枠フレームの右前側棒とを連接し、
該右頂棒の後端と該右底棒の後端は、該右中側棒にそれぞれ連接し、
該右頂棒の前端は、第一右アダプターにより、上記前枠フレームの右前側棒に対して水平に回転可能な方式で連接し、該右底棒の前端は、第二右アダプターにより、上記前枠フレームの右前側棒に対して水平に回転可能な方式で連接し、これにより該右枠フレームは、該右前側棒に対して水平に回転して屈曲可能とし、
上記後枠フレームは、上半部にバスケットボールを受けるガード部を備え、
該後枠フレームの左後側棒と上記左枠フレームの左中側棒とを左連棒を設けて連接すると共に該後枠フレームの右後側棒と上記右枠フレームの右中側棒とを右連棒を設けて連接したことを特徴とする折り畳みバスケットボールゴールフレーム。
【請求項２】
前記折り畳みバスケットボールゴールフレームは、中間連棒をさらに備え、
該中間連棒の左端は、左三方向コネクターにより組立て／分解可能な方式で、前記左枠フレームの左中側棒の底端に連接し、該中間連棒の右端は、右三方向コネクターにより、組立て／分解可能な方式で、前記右枠フレームの右中側棒の底端に連接することを特徴とする請求項１に記載の折り畳みバスケットボールゴールフレーム。
【請求項３】
前記後枠フレームの上半部には、相互に平行な上頂棒及び下頂棒をさらに設置し、
該上頂棒の左端と該下頂棒の左端は、該左後側棒に連接し、該上頂棒の右端と該下頂棒の右端は、該右後側棒に連接することを特徴とする請求項２に記載の折り畳みバスケットボールゴールフレーム。
【請求項４】
前記折り畳みバスケットボールゴールフレームは、サポート棒をさらに備え、
該サポート棒の上下両端は、組立て／分解可能な方式で、前記中間連棒と前記後枠フレームの下頂棒にそれぞれ連接されることを特徴とする請求項３に記載の折り畳みバスケットボールゴールフレーム。
【請求項５】
前記折り畳みバスケットボールゴールフレームは、ネットロープをさらに備え、
該ネットロープは、該折り畳みバスケットボールゴールフレームの外側周縁に連結され、該前枠フレームと該後枠フレームの間には、斜行ネットロープ面を形成することを特徴とする請求項１〜４の任意の一項に記載の折り畳みバスケットボールゴールフレーム。